(57)【要約】【課題】  オイルを燃焼させることで照明やアロマ用のランプとして利用できるオイルランプであって、特に、簡単な構造で携帯性に優れ、被災時に利用でき、また普段はアロマ用のランプとしても好適なものを得る。【解決手段】上面から底面にかけて貫通した取付穴１２が形成された平板状の基板２と、取付穴２２に立設され、縦方向に貫通穴２１を有する中空の筒状に形成され、この貫通穴２１内に燃焼用の芯３が保持される筒体２とを有し、基板１の一部には、取付穴１２から基板１外面に向かって外側に開口した切欠穴１１が形成されており、筒体２１の側面には切欠穴１２と連通した細穴２２が形成されていることとした。【選択図】図１
2020119743.tif 000002
【特許請求の範囲】
【請求項１】
上面から底面にかけて貫通した取付穴が形成された平板状の基板と、
上記取付穴に立設され、縦方向に貫通穴を有する中空の筒状に形成され、この貫通穴内に燃焼用の芯が保持される筒体と、を有し、
上記基板の一部には、上記取付穴から基板外面に向かって外側に開口した切欠穴が形成されており、
上記筒体の側面には上記切欠穴と連通した細穴が形成されている、
ことを特徴とするオイルランプ。
【請求項２】
上記基板に形成された切欠穴は、外側から内側に向かって幅が小さくなるように形成されている、
請求項１記載のオイルランプ。
【請求項３】
上記細穴は、筒体の縦方向中央よりも底面側に形成されている、
請求項１又は２記載のオイルランプ。
【請求項４】
上記筒体の細穴が形成された面とは反対側の側面に第２の細穴が形成されている、
請求項１記載のオイルランプ。
【発明の詳細な説明】
【技術分野】
【０００１】
本発明は、オイルを燃焼させることで照明やアロマ用のランプとして利用できるオイルランプに関する。特に、簡単な構造で携帯性に優れ、被災時に利用でき、また普段はアロマ用のオイルランプとしても好適なものである。
【背景技術】
【０００２】
従来からオイルを燃焼させる種々のオイルランプが提案されている。その一例としては、特許文献１に記載されたものがある。このオイルランプは、オイル収納器内には、燃焼用オイルを貯蔵し、この燃焼用オイルの液面上に浮漂フロートを配置して、このフロート中央部に燃焼用の芯が通る貫通穴が設けられており、この貫通穴に芯を通してその上端部に火をつけて燃焼させるようにしたものである。
【先行技術文献】
【特許文献】
【０００３】
【特許文献１】実用新案登録第３０９３４６３号公報
【発明の概要】
【発明が解決しようとする課題】
【０００４】
しかし、従来のオイルランプは、オイルが少なくなった場合には、芯の周辺のオイルは燃焼することができるが、容器内のオイルを切れに使い来ることができず効率が悪かった。
そのため、長時間の燃焼に耐えられないという問題があった。
また、従来のオイルランプは構造が複雑で、携帯性が悪く、どこのでも、どのような場面でも利用できなかった。
【０００５】
本発明は、効率がよく、また携帯性優れたオイルランプを提供することを目的とする。
【課題を解決するための手段】
【０００６】
上記目的を達成するため、本発明の一の観点に係るオイルランプは、上面から底面にかけて貫通した取付穴が形成された平板状の基板と、上記取付穴に立設され、縦方向に貫通穴を有する中空の筒状に形成され、この貫通穴内に燃焼用の芯が保持される筒体と、を有し、上記基板の一部には、上記取付穴から基板外面に向かって外側に開口した切欠穴が形成されており、上記筒体の側面には上記切欠穴と連通した細穴が形成されていることを特徴とする。
【０００７】
上記基板に形成された切欠穴は、外側から内側に向かって幅が小さくなるように形成されていてもよい。
【０００８】
上記細穴は、筒体の縦方向中央よりも底面側に形成されていてもよい。
【０００９】
上記筒体の細穴が形成された面とは反対側の側面に第２の細穴が形成されていてもよい。
【発明の効果】
【００１０】
本発明によれば、燃焼効率がよく、また携帯性優れたオイルランプとすることができる。
【図面の簡単な説明】
【００１１】
【図１】本実施形態にかかるオイルランプの正面側斜め上方からの斜視図。
【図２】本実施形態にかかるオイルランプの背面側斜め上方からの斜視図。
【図３】本実施形態にかかるオイルランプの使用状態を示した正面斜め上方からの斜視図。
【発明を実施するための形態】
【００１２】
図１〜図３に本実施形態にかかるオイルランプの例を示す。
図１において、本実施形態にかかるオイルランプは、取付穴１２が形成された平板状の基板１と、この取付穴１２に取り付けられて立設された中空の筒体２とを有している。
基板１は、本例では円板状に形成されており、その中央部分に上面から底面にかけて貫通した取付穴１２が形成されている。この基板１及び取付穴１２は、金属板を打ち抜きするなどして成形してもよい。
また、基板１の一端部には、切欠穴１１が形成されている。この切欠穴１１は取付穴１２から基板１の外周面に向かって開口している。切欠穴１１の幅は、平面視外側から内側（穴１２側）に向かって幅が小さくなる扇形状をしている。そして、この切欠穴１１の幅狭の内周側開口は筒体２に形成された貫通穴２２に対応して連通するようになっている。
なお、本例では切欠穴１１は内周側に向かって幅が狭くなる扇形としたが、これに限らず平面長方形などの多角形状や、円弧状に形成してもよい。
【００１３】
筒体２は中央に貫通穴２１が形成された筒状に形成されている。この貫通穴２１には図３に示すように燃焼用の芯３が保持されるようになっている。この芯３は布などを丸めたものでも良いし、綿や不織布などでもよい。
また、筒体２の下端部の切欠穴１１との当接面には、細穴２３の底部開口がこの切欠穴１１と連通して形成されている。この細穴２２は、その上端部は矩形形状に形成されており、筒体２の高さの半分ないしはそれよりも低い高さを有している。
【００１４】
なお、この例では細穴２２は側面から見て四角形状に形成されてるが、この形状に限らず三角形状や多角形状をしていてもよい。
また、筒体２の細穴２２が形成された面とは反対側の面（これを便宜上背面と言う）には、図２に示すように第２の細穴２３が形成されている、第２の細穴２２も底部開口を有しているが、その開口部の対応する基板１側には切欠穴は形成されていない。そのため、第２の細穴の底部側が基板１により閉じられることで、側面視四角形となっている。
なお、この第２の細穴２３は、細穴２２と同じ形状をしていてもよい。
【００１５】
次に、本実施形態にかかるオイルランプの使い方について図３を参照して説明する。
図３において、貫通穴２１には布などを丸めた芯３が取り付けられている。この芯３の上端部は筒体２の上端から突出し、芯３の底面（下端面）は筒体２の底面開口と略面一となっている。
この状態で、皿などの容器の上にオイルランプを置き、燃焼用オイルを芯３の真上から浸しながら皿などの容器に溜める。
これにより、芯３が基板１の底面と略面一となっているため、芯３の底部が燃焼用のオイルに浸ることとなり、これにより、芯３の全体に燃焼用のオイルがいきわたることとなる。
そして、燃焼用オイルが芯３にいきわたったところで筒体２の上端部から突出した芯３の上端部に火をつける。これで芯３を通じて燃焼用のオイルが吸い上げられ、オイルランプとして機能するようになる。
なお、燃焼用のオイルは、オイルライター用のオイルや、ベンジン、ホワイトガソリン、アルコール、サラダ油など様々なものをそのまま、またこれらを適宜の割合で配合して利用することができ、特に、家庭にあるサラダ油（なたね油）等はそのままでも使用できる。
【００１６】
また、燃焼が継続していくと、徐々に容器内の燃焼用オイルが減っていき、容器内にわずかに残った状態となる。このような状態となると、容器内の燃焼用オイルは、毛細管現象により基板１の底面及び切欠穴１１の端面に沿って取付穴１２側に吸い込まれるようになる。
これにより、切欠穴１１及び細穴２２から芯３に燃焼用オイルが吸い上げられ、容器内の燃焼用オイルを無駄なく使い切ることができる。
【００１７】
また、本実施形態のオイルランプは、非常に小型化されており、持ち運びが簡単なだけでなく、震災などの非常時にも皿などに燃焼用オイル（サラダ油など）を入れ、布を巻いた芯３を使うだけでオイルランプとして機能することから、手軽でコストも安く、また燃焼用オイルも余すところなく使うことができる非常に効率に優れたオイルランプを提供できる。
また普段は、燃焼用オイルにアロマオイルを添加することで、アロマ用のオイルランプとしても使うことができる。
【００１８】
なお、上述の実施形態では、筒体２を取付穴１２に差し込んで取り付けるようにした例について説明したが、取付穴１２の上面に筒体２を位置決めして取り付けてもよい。また、基板１と筒体２とを一体に成型加工などにより作ってもよい。
【符号の説明】
【００１９】
１      基板
２      筒体
３      芯
１１    切欠穴
１２    取付穴
２１    貫通穴
２２    細穴
【図１】
2020119743.tif 000003
【図２】
2020119743.tif 000004
【図３】
2020119743.tif 000005